Podtech/llm-jp-corpus-v4-ja_patent huggingface dataset:
【手続補正書】
【提出日】平成27年5月20日(2015.5.20)
【手続補正１】
【補正対象書類名】特許請求の範囲
【補正対象項目名】全文
【補正方法】変更
【補正の内容】
【特許請求の範囲】
【請求項１】
第１の２次元サービュー投影画像における構造と、第２の２次元サービュー投影画像における構造とを位置合わせするステップ、及び
前記位置合わせされた第１及び第２の２次元サービュー投影画像に基づいて、患者の関心組織のフォローアップの３次元画像の取得を計画するステップ、
を有し、
前記第１の２次元サービュー投影画像は、前に行った前記患者の関心組織のベースラインの３次元画像の取得を計画するのに使用され、
前記第１の２次元サービュー投影画像は、前記前に行ったベースラインの３次元画像の取得のための、前記第１の２次元サービュー投影画像において特定した少なくとも１つの関心領域に対応する情報を含み、
前記第１の２次元サービュー投影画像は、前記前に行ったベースラインの３次元画像の取得のための、前記第１の２次元サービュー投影画像において特定したｚ軸スキャン範囲に対応する情報を含み、及び
前記第２の２次元サービュー投影画像は、前記フォローアップの３次元画像の取得を計画するために取得される
方法。
【請求項２】
前記位置合わせするステップは、
前記第１及び第２の２次元サービュー投影画像を位置合わせするために、弾性又は剛体画像位置合わせアルゴリズムを使用するステップ
を有する請求項１に記載の方法。
【請求項３】
前記位置合わせするステップは、
前記第１の２次元サービュー投影画像から前記第２の２次元サービュー投影画像に前記少なくとも１つの関心領域に対応する情報を転送するステップ
を有する請求項１又は２に記載の方法。
【請求項４】
前記位置合わせするステップは、
前記第１の２次元サービュー投影画像から前記第２の２次元サービュー投影画像に前記ｚ軸スキャン範囲に対応する情報を転送するステップ
を有する請求項１乃至３の何れか１項に記載の方法。
【請求項５】
前記位置合わせするステップは、ユーザー対話も無く自動的に行われる請求項１乃至４の何れか一項に記載の方法。
【請求項６】
前記転送した情報を備える前記位置合わせされた第２の２次元サービュー投影画像に基づいて、前記フォローアップの３次元画像の取得を行うステップ
をさらに有する、請求項１乃至５の何れか一項に記載の方法。
【請求項７】
前記フォローアップの３次元画像の取得の間に取得したデータを再構成して、複数の薄いスライス画像を生成するステップ、及び
前記薄いスライス画像を、前記前に行ったベースラインの３次元画像の取得に対応する画像のサブセットと位置合わせするステップ
をさらに有する、請求項１乃至６の何れか一項に記載の方法。
【請求項８】
前記画像のサブセットは、前記前に行ったベースラインの３次元画像の取得から生成される前記薄いスライス画像に比べ、より厚いスライス厚を持つ、請求項７に記載の方法。
【請求項９】
前記位置合わせするステップは、
前記画像のサブセットから前記位置合わせされた複数の薄いスライス画像に、前記サブセットにおいて特定した関心体積に対応する情報を転送するステップ
を有する請求項６乃至８の何れか一項に記載の方法。
【請求項１０】
前記複数の薄いスライス画像を再フォーマットして、前記前に行ったベースラインの３次元画像の取得に対応する前記画像のサブセットと略合致する３次元画像データセットを作るステップ
をさらに有する、請求項９に記載の方法。
【請求項１１】
第１の２次元サービュー投影画像における構造と第２の２次元サービュー投影画像における構造とを位置合わせする２Ｄ位置合わせ部であって、前記第１の２次元サービュー投影画像は、前に行った３次元画像の取得を計画するのに使用されたものであり、及び前記第２の２次元サービュー投影画像は、フォローアップの３次元画像の取得を計画するために取得されたものである、２次元位置合わせ部、及び
前記位置合わせされた第１及び第２の２次元サービュー投影画像に基づいて、フォローアップの３次元画像を取得するための取得計画を作るように構成される取得計画器
を有するシステム。
【請求項１２】
前記取得計画器は、
前記第１の２次元サービュー投影画像において特定した少なくとも１つの関心領域に対応する情報を前記第２の２次元サービュー投影画像に転送する関心領域転送器
をさらに有する請求項１１に記載のシステム。
【請求項１３】
前記取得計画器は、
前記前に行った３次元画像の取得のための、前記第１の２次元サービュー投影画像において特定したｚ軸スキャン範囲に対応する情報を前記第２の２次元サービュー投影画像に転送するスキャン範囲転送器
をさらに有する請求項１２に記載のシステム。
【請求項１４】
前記フォローアップの３次元画像の取得の薄いスライス画像を、前記前に行った３次元画像の取得の前記薄いスライス画像から得られる、より厚いスライス画像のサブセットと合致させる画像処理器
をさらに有する、請求項１１乃至１３の何れか一項に記載のシステム。
【請求項１５】
前記画像処理器は、
前記薄いスライス画像と前記より厚いスライス画像とを位置合わせするように構成される３Ｄ位置合わせ部
を有する請求項１４に記載のシステム。
【手続補正書】
【提出日】平成27年5月20日(2015.5.20)
【手続補正１】
【補正対象書類名】特許請求の範囲
【補正対象項目名】全文
【補正方法】変更
【補正の内容】
【特許請求の範囲】
【請求項１】
２Ｄ撮像プローブのファミリーを持つ２Ｄ撮像に関する超音波診断システムであって、
異なる臨床応用に関する複数の２Ｄ撮像プローブであって、各２Ｄ撮像プローブが、アレイトランスデューサを持ち、１つ又は複数の同じマイクロビーム形成器が、前記アレイトランスデューサの要素に結合され、前記１つ又は複数のマイクロビーム形成器が、４から１６までの部分的にビーム形成された受信信号をそれぞれ生成する、複数の２Ｄ撮像プローブと、
前記部分的にビーム形成された受信信号をメインフレーム超音波システムに結合させるため、前記プローブのそれぞれに結合されるプローブケーブルと、
メインフレーム超音波システムに結合するよう構成される各ケーブルの端にあるプローブコネクタと、
メインフレーム超音波システムとを有し、
前記メインフレーム超音波システムが、
プローブケーブルにより係合するよう構成される嵌合コネクタと、
前記嵌合コネクタからの信号を受信するよう構成されるビーム形成器であって、完全にビーム形成された受信信号を形成するため、部分的にビーム形成された受信信号を処理するための４〜１６チャネルを持つ、ビーム形成器と、
前記完全にビーム形成された受信信号に応答する画像プロセッサと、
前記画像プロセッサに結合されるディスプレイとを持つ、超音波診断システム。
【請求項２】
前記マイクロビーム形成器が更に、前記２Ｄ撮像プローブの全てにおいて使用される標準的な要素を有する、請求項１に記載の超音波診断撮像システム。
【請求項３】
前記マイクロビーム形成器が、部分的にビーム形成された信号が生成される６４の入力部及び４つの出力部を持つ、請求項２に記載の超音波診断システム。
【請求項４】
各２Ｄ撮像プローブが、複数のマイクロビーム形成器を含む、請求項２に記載の超音波診断システム。
【請求項５】
前記２Ｄ撮像プローブの１つが、前記アレイトランスデューサを含むプローブハンドルを持ち、前記マイクロビーム形成器は、前記プローブハンドルに配置される、請求項１に記載の超音波診断システム。
【請求項６】
前記ケーブルが、前記プローブハンドルにおける前記マイクロビーム形成器に結合される４から１６の受信信号経路を含む、請求項５に記載の超音波診断システム。
【請求項７】
前記マイクロビーム形成器が、前記プローブコネクタに配置される、請求項１に記載の超音波診断システム。
【請求項８】
前記プローブコネクタが、前記メインフレーム超音波システムに４〜１６の信号経路を結合させる、請求項７に記載の超音波診断システム。
【請求項９】
前記メインフレームシステムビーム形成器が、８〜１６の信号経路入力部を持つ、請求項１に記載の超音波診断システム。
【請求項１０】
前記嵌合コネクタが更に、前記複数のプローブが前記メインフレーム超音波システムに同時に接続されることができる複数の嵌合コネクタを持つプローブコネクタブロックを有する、請求項９に記載の超音波診断システム。
【請求項１１】
各２Ｄ撮像プローブが、２次元画像平面を撮像する１Ｄアレイトランスデューサを持つ、請求項１に記載の超音波診断システム。
【請求項１２】
前記１Ｄアレイトランスデューサの２つが、カーブするアレイ、リニアアレイ、フェーズドアレイ又はタイトカーブするアレイのうちの２つを有する、請求項１１に記載の超音波診断システム。
【請求項１３】
前記マイクロビーム形成器が更に、マイクロビーム形成器ＡＳＩＣを有し、各２Ｄ撮像プローブは、少なくとも２つのマイクロビーム形成器ＡＳＩＣを含む、請求項１に記載の超音波診断システム。
【請求項１４】
各２Ｄ撮像プローブが更に、プローブケースにおいて囲まれるアレイトランスデューサを有し、前記プローブの１つの前記マイクロビーム形成器ＡＳＩＣは、前記プローブケースに配置される、請求項１３に記載の超音波診断システム。
【請求項１５】
前記プローブの１つの前記マイクロビーム形成器ＡＳＩＣが、前記ケーブルの端において前記コネクタに配置される、請求項１３に記載の超音波診断システム。
【請求項１６】
前記プローブのアレイトランスデューサが、セラミック圧電アレイトランスデューサ又はマイクロマシン超音波トランスデューサアレイの１つを有する、請求項１に記載の超音波診断システム。
【手続補正書】
【提出日】平成27年5月20日(2015.5.20)
【手続補正１】
【補正対象書類名】特許請求の範囲
【補正対象項目名】全文
【補正方法】変更
【補正の内容】
【特許請求の範囲】
【請求項１】
画像補正システムであって、
異なる位置から関心領域の画像ボリュームを生成する、追跡される画像プローブと、
前記プローブに付随する医用画像装置からの画像信号を処理し、一つ以上の画像ボリュームを基準と比較して前記関心領域にわたる仮定波速度と前記関心領域にわたる補償波速度の間の収差を決定する、画像補償モジュールと、
前記画像補償モジュールによって決定される収差を受信し、前記補償波速度に基づいて表示用の補正画像を生成する、画像補正モジュールとを有する、画像補正システム。
【請求項２】
前記基準が前記関心領域の一つ以上の特徴を含み、異なる方向からの複数の画像ボリュームが座標系を用いて整列されるとき、前記一つ以上の特徴におけるミスマッチが前記収差を計算するために利用されるようになっている、請求項１に記載のシステム。
【請求項３】
前記基準がモデルを含み、前記一つ以上の特徴におけるミスマッチが前記収差を計算するために利用されるように前記関心領域の一つ以上の特徴が前記モデルと比較される、請求項１に記載のシステム。
【請求項４】
前記モデルが前記関心領域にわたる補償波速度を与えるように前記関心領域にわたる波速度データを含む、請求項３に記載のシステム。
【請求項５】
追跡される医療機器をさらに有し、前記医療機器の位置と方向が前記収差を計算する基準として利用される、請求項１に記載のシステム。
【請求項６】
前記画像補償モジュールが画像と前記基準の間のベストフィットマッチを決定する最適化法を利用する、請求項１に記載のシステム。
【請求項７】
ワークステーションであって、
プロセッサと、
前記プロセッサに結合するメモリと、
画像プローブからの画像信号を受信する、前記プロセッサに結合する画像装置であって、前記画像プローブが異なる位置から関心領域の画像ボリュームを生成するように構成される、画像装置とを有し、
前記メモリが、
前記画像装置からの画像信号を処理し、一つ以上の画像ボリュームを基準と比較して前記関心領域にわたる仮定波速度と前記関心領域にわたる補償波速度の間の収差を決定する、画像補償モジュールと、
前記画像補償モジュールによって決定される収差を受信し、前記補償波速度に基づいて表示用の補正画像を生成する、画像補正モジュールとを含む、
ワークステーション。
【請求項８】
追跡される医療機器をさらに有し、前記医療機器の位置及び方向が前記収差を計算する基準として利用される、請求項７に記載のワークステーション。
【請求項９】
前記画像補償モジュールが画像と前記基準の間のベストフィトマッチを決定する最適化法を利用する、請求項７に記載のワークステーション。
【請求項１０】
前記最適化法が相互情報量の最大化及びエントロピーの最小化の一つを含む、請求項９に記載のワークステーション。
【請求項１１】
収差補正画像を表示する画像補償モードを有効にするように構成されるイネーブルメカニズムをさらに有する、請求項７に記載のワークステーション。
【請求項１２】
画像補正のための方法であって、
画像プローブを追跡して異なる既知の位置から関心領域の画像ボリュームを生成するステップと、
前記プローブに付随する医用画像装置からの画像信号を処理し、一つ以上の画像ボリュームを基準と比較して前記関心領域にわたる仮定波速度と前記関心領域にわたる補償波速度の間の収差を決定する、ステップと、
前記画像信号を補正して、前記収差を減らし前記補償波速度に基づいて表示用の補正画像を生成するステップとを有する方法。
【請求項１３】
前記基準が前記関心領域の一つ以上の特徴を含み、前記一つ以上の特徴におけるミスマッチが前記収差を計算するために利用されるように座標系を用いて異なる方向からの複数の画像ボリュームを整列させるステップをさらに有する、請求項１２に記載の方法。
【請求項１４】
前記基準がモデルを含み、前記一つ以上の特徴におけるミスマッチが前記収差を計算するために利用されるように前記関心領域の一つ以上の特徴を前記モデルと比較するステップをさらに有する、請求項１２に記載の方法。
【請求項１５】
医療機器の位置及び方向が前記収差を計算する基準として利用されるように追跡される医療機器を配置するステップをさらに有する、請求項１２に記載の方法。
【手続補正書】
【提出日】平成27年6月24日(2015.6.24)
【手続補正１】
【補正対象書類名】明細書
【補正対象項目名】０００６
【補正方法】変更
【補正の内容】
【０００６】
更に、当然のことながら、切り取りガイドの一部が一方の剥離ライナーに設けられ、一方、切り取りガイドの別の部分が他方の別の剥離ライナーに設けられた対照的な場合に、使用者が切り取りガイドの２つの部分をガイドツールとして使用するためには、２つの切り取りガイドを正確に位置合わせすることが不可欠である。２つの剥離ライナーの位置が合っていない場合、切り取りガイドの２つの半体は、通路をストーマの形状に合わせるプロセスにおいて、使用者を支援するどころではなく誤らせるであろう。この問題は、折り畳み可能な剥離ライナーを設けることで解決される。
【手続補正２】
【補正対象書類名】明細書
【補正対象項目名】００１４
【補正方法】変更
【補正の内容】
【００１４】
別の実施形態では、収集袋及び粘着ウェハーは、使用者が互いに連結しなければならない２つの部品で使用者に配達される２部品構成のオストミー器具を形成する。後者の実施形態では、接着剤は収集袋及びウェハーの合わせ面に設けることができる。一実施形態では、収集袋は、取り外し可能に、即ち、粘着ウェハーから取り外すことができるように粘着ウェハーに取り付けられる。
【手続補正３】
【補正対象書類名】明細書
【補正対象項目名】００１９
【補正方法】変更
【補正の内容】
【００１９】
当然のことながら、剥離ライナーが初期状態にある場合に、剥離ライナーは、折り畳んだ状態にあってもよい。剥離ライナーがその折り畳んだ状態にある場合、折り畳み可能部は、貼付部の少なくとも一部、例えば、貼付部の１０％、貼付部の２０％、貼付部の３０％、貼付部の４０％、貼付部の５０％、貼付部の６０％、貼付部の７０％、貼付部の８０％、貼付部の９０％、または貼付部の１００％を覆うことができる。折り畳み可能部が、貼付部の１００％を覆う場合、２つの部分は合致すると称することができて、例えば、貼付部の外縁部が、折り畳み可能部の外縁部と合致する。
【手続補正４】
【補正対象書類名】明細書
【補正対象項目名】００３３
【補正方法】変更
【補正の内容】
【００３３】
一実施形態では、第１及び第２の剥離ライナーの貼付部は、皮膚に面する粘着層のほぼ全表面を覆う。代替の実施形態では、第１及び第２の剥離ライナーうちの一方は、単に皮膚に面する粘着層の一部のみを覆い、一方、他の剥離ライナーは、皮膚に面する粘着層の残部を覆う。
【手続補正５】
【補正対象書類名】明細書
【補正対象項目名】００４６
【補正方法】変更
【補正の内容】
【００４６】
図４の実施形態では、粘着ウェハー１００に恒久的に固定された形態で収集袋１３４が設けられており、そのため、図４のオストミー器具は、いわゆる一体オストミー器具である。他の実施形態では、収集袋は、例えば、接着剤を用いて、使用者によって粘着ウェハー１００に固定されるように構成される。後者の場合、オストミー器具は、いわゆる２部品構成器具である。
【手続補正書】
【提出日】平成27年7月2日(2015.7.2)
【手続補正１】
【補正対象書類名】特許請求の範囲
【補正対象項目名】全文
【補正方法】変更
【補正の内容】
【特許請求の範囲】
【請求項１】
化学気相堆積リアクタベルの内部表面を洗浄するためのシステムであって、
リアクタベルのフランジに接続するためにフレームと、
フレームに接続された作動メカニズムであって、リアクタベルがフレームに接続された場合に、リアクタベルの内部空間内で垂直および回転運動ができるように形成された作動メカニズムと、
作動メカニズムに接続された少なくとも１つのブラシであって、リアクタベルの内部表面に接触するように形成されたブラシと、
作動メカニズムに接続された少なくとも１つのノズルであって、リアクタベルの内部表面に対して水流を向けるように形成されたノズルと、を含むシステム。
【請求項２】
さらに少なくとも１つのブラシに接続された回転アクチュエータを含み、回転アクチュエータはブラシを回転させるように形成される請求項１に記載のシステム。
【請求項３】
さらに少なくとも１つのブラシを作動メカニズムに接続する直線アクチュエータを含む請求項１に記載のシステム。
【請求項４】
リアクタベルの中に形成されたウインドウの内部表面に対して気体の流れを向けるための乾燥ノズルと、ウインドウの検査を助ける光とを含む請求項１に記載のシステム。
【請求項５】
ブラシを用いた化学気相堆積リアクタベルの内部表面の洗浄方法であって、
フレームの上にリアクタベルを配置する工程と、
第１アクチュエータを操作して、ブラシをリアクタベルの内部表面に噛み合わせる工程と、
ノズルからリアクタベルの内部表面に対してノズルからの水流を向ける工程と、
第２アクチュエータを操作してブラシを回転させる工程と、を含む方法。
【請求項６】
さらにリアクタベルの長手方向の軸に平行な垂直軸に沿って作動メカニズムを移動させる工程を含む請求項５に記載の方法。
【請求項７】
さらに内部表面の汚染物の量を測定する工程と、内部表面の汚染物の量に基づいて回転および垂直移動の速度を調整する工程とを含む請求項６に記載の方法。
【請求項８】
さらにリアクタベルの中に形成されたウインドウの内部表面に対して気体の流れを向ける工程を含む請求項７に記載の方法。
【手続補正書】
【提出日】平成27年6月29日(2015.6.29)
【手続補正１】
【補正対象書類名】特許請求の範囲
【補正対象項目名】全文
【補正方法】変更
【補正の内容】
【特許請求の範囲】
【請求項１】
溶接方法において、
シースとコアとを備えたメタルコア溶接電極と、ワークとの間にアークを形成することと、
溶接トーチ内の運動制御装置によって前記電極を所望のパターンで周期的に移動し、前記シースと前記ワークとの間でのみアークを維持しながら、前記溶接トーチから前記電極を送給することと、
前記溶接トーチまたは前記ワークを前進させて溶接ビードを形成することとを含む溶接方法。
【請求項２】
溶接システムにおいて、
溶接するのに適した電力を生成する電力供給装置と、
前記電力供給装置に結合され、かつ、シースおよびコアを備えたメタルコア溶接電極を送給するワイヤ送給装置と、
前記ワイヤ送給装置に結合される溶接トーチであって、該溶接トーチは、該溶接トーチ内の運動制御装置によって前記電極を所望のパターンで周期的に移動し、前記シースとワークとの間でのみアークを維持しながら、前記電力供給装置からの電力を利用して、前記電極と前記ワークとの間に溶接アークを形成する溶接トーチとを具備する溶接システム。
【手続補正書】
【提出日】平成27年6月30日(2015.6.30)
【手続補正１】
【補正対象書類名】特許請求の範囲
【補正対象項目名】全文
【補正方法】変更
【補正の内容】
【特許請求の範囲】
【請求項１】
固定ガントリー、
前記固定ガントリーに回転可能であるように支持される回転ガントリー、及び
予備放射線源
を有するシステムにおいて、
前記回転ガントリーは、
一次放射線を放出する一次放射線源、及び
縦軸に沿って延在している検出器要素の少なくとも１列を持つ検出器アレイ
を含み、
前記一次放射線源及び前記検出器アレイは、検査領域を挟んで互いに向き合って置かれ、前記一次放射線は、前記一次放射線源と前記検出器アレイとの間にあり、検査領域を通る経路を横断し、前記一次放射線を検出する前記検出器アレイの検出器要素の少なくとも１列に照射し、並びに前記予備放射線源は、前記システムの非回転部分に取り付けられ、前記経路のサブの部分を横断し、第２の放射線を検出する前記検出器アレイの検出器要素の少なくとも１列に照射する放射線を放出し、
前記予備放射線源は、前記予備放射線源が前記一次放射線源と前記検出器アレイとの間の前記経路にある第１の位置と、前記予備放射線源が前記一次放射線源と前記検出器アレイとの間の前記経路の外側にある第２の位置との間を移動するように構成され、前記予備放射線源は、前記予備放射線源が前記第２の位置にあるときにのみ放射線を放出するために作動し
前記システムが、スキャンすべき構造物をスキャンするための前記検査領域内に位置決めるように構成される被験者支持台をさらに有し、前記予備放射線源は、前記被験者支持台と前記検出器アレイとの間に置かれている、システム。
【請求項２】
前記予備放射線源は、線状放射線源の縦軸に沿って空間的に分布する放射線放出領域のアレイを持つ線状放射線源である、請求項１に記載のシステム。
【請求項３】
前記線状放射線源は、当該線状放射線源の長軸が前記検出器アレイの縦軸を横断するように、前記検出器アレイに対して空間的に配向される、請求項２に記載のシステム。
【請求項４】
前記線状放射線源は、前記二次放射線源が通った経路を介して、前記検出器アレイが回転しながら前記検出器要素に連続して照射する、請求項２又は３に記載のシステム。
【請求項５】
前記予備放射線源により放出される放射線は、連続的な非パルス放射線である、請求項１乃至４の何れか一項に記載のシステム。
【請求項６】
前記検出器アレイは、
第１の利得を持つ第１及び第２の外側検出器、並びに
前記第１及び第２の外側検出器の間に置かれる、第２の利得を持つ内側検出器
を有し、前記第１の利得は、前記第２の利得よりも時間に関してより安定している、請求項１乃至５の何れか一項に記載のシステム。
【請求項７】
空気スキャン中に前記一次放射線源を用いて取得したデータと前記予備放射線源を用いて取得したデータとに基づいて、前記検出器アレイに対する検出器の利得校正データを決定する検出器の利得校正決定器をさらに有する、請求項１乃至６の何れか一項に記載のシステム。
【請求項８】
検出器の利得校正決定器は、
前記一次放射線源を用いて取得した前記データに基づいて、空気スキャン校正データを生成する空気スキャン処理器、
前記空気スキャンに関連して前記予備放射線源を用いて取得した第１のデータに基づく第１の校正更新データ、及び物体若しくは被験者のスキャンに関連して前記予備放射線源を用いて取得した第２のデータに基づく第２の更新校正データを生成する予備スキャン処理器、並びに
前記第１及び第２の校正更新データに基づいて空気スキャン校正データを更新し、検出器の利得校正データを生成する更新データ更新器
を有する、請求項７に記載のシステム。
【請求項９】
前記第１及び第２の校正更新データは、前記検出器アレイにおける利得の変化を考慮するために、前記空気スキャン校正データを更新する、請求項８に記載のシステム。
【請求項１０】
前記生成する検出器の利得校正データを用いて、前記物体若しくは被験者のスキャン中に取得した投影データを補正し、補正した投影データを生成する検出器の利得補正器、及び
前記補正した投影データを再構成して、体積画像データを作り出す再構成器
をさらに有する請求項８又は９に記載のシステム。
【請求項１１】
前記予備放射線源は、前記検査領域内に物体若しくは被験者がいる状態で放射線を放出するために作動する、請求項７乃至１０の何れか一項に記載のシステム。
【請求項１２】
前記一次放射線源が物体若しくは被験者のスキャンを行うのに使用されている間、前記予備放射線源は、放射線を同時に放出するように作動する、請求項７乃至１１の何れか一項に記載のシステム。
【請求項１３】
物体若しくは被験者のスキャンを行うのにも使用されるイメージングシステムの一次放射線源を用いて空気スキャンを行うステップ及び前記物体若しくは被験者のスキャンを行うのには使用されないイメージングシステムの二次放射線源を用いて予備スキャンを行うステップを含む、初期の検出器の利得校正手順を行うステップ、
前記一次放射線源を用いて物体若しくは被験者のスキャンするステップを含む前記物体若しくは被験者のスキャンを行うステップ、及び前記予備スキャンを用いて後続する予備スキャンを行うステップ、並びに
前記初期の検出器の利得校正手順及び前記後続する予備スキャンの結果に基づいて、検出器の利得校正データを示す、電子形式の信号を生成するステップ
を有し、
前記二次放射線源は、前記イメージングシステムの非回転部分に取り付けられ、前記一次放射線源の放射線によって横断される放射線経路のサブの部分を横断し、前記イメージングシステムの検出器アレイの検出器要素の少なくとも１列に照射する放射線を放出し、
前記二次放射線源は、前記二次放射線源が前記一次放射線源と前記検出器アレイとの間の前記経路にある第１の位置と、前記予備放射線源が前記一次放射線源と前記検出器アレイとの間の前記経路の外側にある第２の位置との間を移動するように構成され、前記二次放射線源は、前記二次放射線源が前記第２の位置にあるときにのみ放射線を放出するために作動し、前記二次放射線源は、前記イメージングシステムの被験者支持台と前記検出器アレイとの間に置かれている、方法。
【請求項１４】
前記物体若しくは被験者のスキャンが行われる検査領域内に前記物体若しくは被験者がいる状態で前記後続する予備スキャンを行うステップをさらに有する請求項１３に記載の方法。
【請求項１５】
前記後続する予備スキャンは、前記検査領域内の前記物体若しくは被験者の物体若しくは被験者のスキャンと同時に行われる、請求項１４に記載の方法。
【手続補正書】
【提出日】平成27年3月27日(2015.3.27)
【手続補正１】
【補正対象書類名】特許請求の範囲
【補正対象項目名】全文
【補正方法】変更
【補正の内容】
【特許請求の範囲】
【請求項１】
装置であって、
動物の消化管内に配置されるように構成されるカプセルと、
形状記憶合金部材であって、該形状記憶合金部材に電流が加えられる場合には、その寸法のうちの少なくとも１つを変更するように構成され、該形状記憶合金部材は前記カプセルに結合される、形状記憶合金部材と、
前記カプセルに結合される付勢部材と、
前記形状記憶合金部材及び前記付勢部材に結合される器具であって、該器具を第１の構成から第２の構成に移行させるように前記形状記憶合金部材に電流を加えることができ、該器具が前記第２の構成にある場合には、前記電流を除去して、該器具を前記第２の構成から前記第１の構成に移行させることができる、器具と、
を備える、装置。
【請求項２】
生検装置であって、
本体と、
形状記憶合金部材であって、該形状記憶合金部材に電流が加えられる場合には、その寸法のうちの少なくとも１つを変更するように構成され、該形状記憶合金部材は前記本体に結合される、形状記憶合金部材と、
組織サンプル又は体液サンプルを回収するのに伸長するように構成される器具であって、該器具は、該器具を第１の構成から第２の構成に移行させるように前記形状記憶合金部材に電流を加えることができ、該器具が前記第２の構成にある場合には、前記電流を除去して、該器具を前記第２の構成から前記第１の構成に移行させることができるように前記形状記憶合金部材に結合される、器具と、
を備える、生検装置。
【請求項３】
前記付勢部材の縦軸は前記形状記憶合金部材の縦軸に平行である、請求項１に記載の装置。
【請求項４】
前記形状記憶合金部材に電流が加えられる場合には、前記形状記憶合金部材は拡張するように構成される、請求項１〜３のいずれか一に記載の装置。
【請求項５】
前記カプセル又は前記本体が、前記形状記憶合金部材に電流を加えるのに、前記形状記憶合金部材に結合されるように構成される電源を更に備える、請求項１〜４のいずれか一に記載の装置。
【請求項６】
前記器具は前記第１の構成において収縮しており、前記器具は前記第２の構成において伸長している、請求項１〜５のいずれか一に記載の装置。
【請求項７】
請求項１又は請求項３〜６に記載の装置であって、該装置は、前記器具が前記第２の構成にある場合には、前記付勢部材が前記器具を前記第１の構成に向かって付勢する力を加えるように構成される、装置。
【請求項８】
前記器具はセンサーを含む、請求項１〜７のいずれか一項に記載の装置。
【請求項９】
前記器具は、治療剤を送達するか又は組織サンプルを回収するのに組織と接触するように構成される、請求項１〜８のいずれか一項に記載の装置。
【請求項１０】
前記器具は、針又は生検針を備える、請求項１〜９のいずれか一に記載の装置。
【請求項１１】
以下の工程を含む対象の消化管から生検サンプルを得る方法；
対象の消化管に配置されており、生検針が請求項１〜１０のいずれか一に記載の装置の器具に結合されている、請求項１〜１０のいずれか一に記載の装置の形状記憶合金部材に電流を加えること、
該器具を、該生検針を対象の標的部位内に挿入するために、作動させること、及び
該生検針を使い生検サンプルを得ること。
【請求項１２】
該生検サンプルが、組織又は体液を含む請求項１１に記載の方法。
【手続補正書】
【提出日】平成27年5月20日(2015.5.20)
【手続補正１】
【補正対象書類名】特許請求の範囲
【補正対象項目名】全文
【補正方法】変更
【補正の内容】
【特許請求の範囲】
【請求項１】
対象の位置及び向きの推定値を導出し、前記推定値を用いて、（ｉ）前記対象を撮像するための器具特異的撮像フレームの取得を二方向ビーム形成による組織特異的撮像フレームと交互に行う際に、及び（ｉｉ）器具姿勢推定及び前記器具特異的撮像フレームに対するビームフォーマ初期化に対する一方向ビーム形成による初期化フレームの同時取得の際に超音波トランスデューサアレイとともに動作するビームフォーマを初期化する装置において、前記推定値が、前記超音波トランスデューサアレイの外であり、前記位置及び向きを感知するように前記対象に対して配置される少なくとも１つのセンサの出力に基づく、装置。
【請求項２】
前記推定値が、反射された超音波により到着するデータに基づく撮像の結果を必要とせずに作成される、請求項１に記載の装置。
【請求項３】
前記装置が、前記少なくとも１つのセンサを有し、前記少なくとも１つのセンサのうち１つ又は複数のセンサが、前記対象に取り付けられる、請求項１に記載の装置。
【請求項４】
前記対象が、細長いボディを持ち、前記少なくとも１つのセンサが、前記ボディの少なくとも一部に適合し、前記向きを決定する際に前記一部の形状を感知する、請求項１に記載の装置。
【請求項５】
前記装置が、前記少なくとも１つのセンサを有し、前記少なくとも１つのセンサのうち１つ又は複数のセンサが、超音波センサである、請求項１に記載の装置。
【請求項６】
前記対象が器具を有し、前記器具が、堅く、基部を持ち、前記装置が、前記少なくとも１つのセンサを有し、前記少なくとも１つのセンサのうち１つ又は複数のセンサが、前記導出を可能にするように前記基部を光学的に検出する、請求項１に記載の装置。
【請求項７】
前記装置が、前記ビームフォーマを有し、前記ビームフォーマが、サイドローブ及び反射アーチファクトを軽減するように、送信ビーム、受信ビーム又は両方の入射角度を非ゼロ値に制限する、請求項１に記載の装置。
【請求項８】
前記ビームフォーマが、前記推定値に基づいて、前記対象に送信焦点を配置する、請求項１に記載の装置。
【請求項９】
前記推定値が、前記位置及び前記向きのものであり、前記対象が細長く、前記ビームフォーマが、前記推定値に基づいて、前記対象に適合するように異なる深度において前記対象に沿って複数の送信焦点を配置し、前記焦点が、前記複数の送信焦点の中にある、請求項１１に記載の装置。
【請求項１０】
前記対象が細長い対象であり、前記ビームフォーマが、仰角方向においてステアリング機能を持ち、前記初期化は、前記対象の少なくとも先端が長手方向に延在する撮像面を形成することに向けられる、請求項１に記載の装置。
【請求項１１】
前記少なくとも先端が、現在、他の撮像面内で長手方向に延在し、前記２つの撮像面が、相互に非平行であり、前記ビームフォーマが、リアルタイムで同時表示に対して両方の面を撮像する、請求項１０に記載の装置。
【請求項１２】
前記対象が細長い対象であり、前記ビームフォーマが、前記対象のそれぞれの画像内の前記対象に沿った妨害として認識可能な撮像アーチファクトを軽減又は除去するのに十分に空間的に細かいビーム間隔に対して構成される、請求項１に記載の装置。
【請求項１３】
前記対象を追跡するようにリアルタイムで、前記導出を実行し、前記ビームフォーマによりビーム形成する、請求項１に記載の装置。
【請求項１４】
対象の視覚化を向上させるビーム形成方法において、
前記視覚化を向上させるために、前記対象の位置及び向きの推定値を用いて、（ｉ）前記対象を撮像するための器具特異的撮像フレームの取得を二方向ビーム形成による組織特異的撮像フレームと交互に行う際に、及び（ｉｉ）器具姿勢推定及び前記器具特異的撮像フレームに対するビームフォーマ初期化に対する一方向ビーム形成による初期化フレームの同時取得の際に、超音波トランスデューサアレイとともに動作するビームフォーマを初期化するステップであって、前記推定値が、前記超音波トランスデューサアレイの外であり、前記位置及び向きを感知するために前記対象に対して配置される少なくとも１つのセンサの出力に基づく、前記初期化するステップ、
を有する、方法。
【請求項１５】
対象の視覚化を向上させるコンピュータソフトウェアプロダクトにおいて、
前記視覚化を向上させるために、前記対象の位置及び向きの推定値を用いて、（ｉ）前記対象を撮像するための器具特異的撮像フレームの取得を二方向ビーム形成による組織特異的撮像フレームと交互に行う際に、及び（ｉｉ）器具姿勢推定及び前記器具特異的撮像フレームに対するビームフォーマ初期化に対する一方向ビーム形成による初期化フレームの同時取得の際に超音波トランスデューサアレイとともに動作するビームフォーマを初期化する動作であって、前記推定値が、前記アレイの外であり、前記位置及び向きの少なくとも一方を感知するために前記対象に対して配置される少なくとも１つのセンサの出力に基づく、前記初期化する動作、
を実行するようにプロセッサにより実行可能な命令を含むコンピュータプログラムを具体化するコンピュータ可読媒体を有するプロダクト。
【手続補正書】
【提出日】平成27年6月2日(2015.6.2)
【手続補正１】
【補正対象書類名】特許請求の範囲
【補正対象項目名】全文
【補正方法】変更
【補正の内容】
【特許請求の範囲】
【請求項１】
検査領域の方向にフォーカルスポットから放射線を放出する放射線源、及び
前記フォーカルスポットと前記検査領域との間に位置付けられるビーム整形器を有するイメージングシステムであって、前記ビーム整形器は、前記ビーム整形器を離れる放射線が所定の透過プロファイルを有するように、前記放射線線源から放出され前記ビーム整形器に入射する放射線のＸ線透過プロファイルを整形し、前記ビーム整形器は中心領域を持ち、前記ビーム整形器は、
放射線減衰要素の密度がｘ軸方向に沿って前記中心領域から遠ざかる方向に前記中心領域から変化する、互いに分離された個々の放射線減衰要素の２次元アレイを有し、前記個々の放射線減衰要素が完全に又は実質的に完全にＸ線を減衰させる、
イメージングシステム。
【請求項２】
前記個々の放射線減衰要素は、円錐形、長方形、若しくは円筒形状のロッド、ワイヤ、又は棒である、請求項１に記載のイメージングシステム。
【請求項３】
前記放射線減衰要素は、前記放射線減衰要素の密度が、ｘ−ｙ平面内で前記中心領域から遠ざかる方向に前記中心領域から放射状に変化するように設けられている、請求項２に記載のイメージングシステム。
【請求項４】
前記放射線減衰要素が前記フォーカルスポットに焦点を合わせる、請求項２又は３に記載のイメージングシステム。
【請求項５】
前記放射線減衰要素がオフ焦点線を減衰する、請求項４に記載のイメージングシステム。
【請求項６】
前記ビーム整形器の前記放射線減衰要素のパターンが決定されている、請求項２乃至５のいずれか一項に記載のイメージングシステム。
【請求項７】
前記ビーム整形器の前記放射線減衰要素のパターンがランダムである、請求項２乃至５のいずれか一項に記載のイメージングシステム。
【請求項８】
実質的にＸ線透過材料を含む基材を更に有し、前記放射線減衰要素が前記基材に埋め込まれている、請求項２乃至７に記載のイメージングシステム。
【請求項９】
複数の行又は列のセプタを更に有し、前記セプタの各行及び各列が互いに分離された複数の前記放射線減衰要素を含み、前記セプタが互いに分離されて配置されている、請求項２乃至７のいずれか一項に記載のイメージングシステム。
【請求項１０】
前記ビーム整形器の放射線減衰要素が同じ幾何学形状を有する、請求項１乃至９のいずれか一項に記載のイメージングシステム。
【請求項１１】
前記ビーム整形器の少なくとも２つの放射線減衰要素が異なる幾何学形状を有する、請求項１乃至１０のいずれか一項に記載のイメージングシステム。
【請求項１２】
前記ビーム整形器が、長さ６インチ未満及び幅６インチ未満又は直径６インチ未満の幾何学形状を有する、請求項１乃至１０のいずれか一項に記載のイメージングシステム。
【請求項１３】
前記ビーム整形器が、１ミリメートルの４分の１から１０ミリメートルの範囲の厚さを有する、請求項１乃至１２のいずれか一項に記載のイメージングシステム。
【請求項１４】
スキャニング中に制御可能に移動させる可動支持台を更に有し、前記ビーム整形器が前記可動支持台に固定されていて、前記可動支持台によりスキャニング中に前記ビーム整形器を移動させる、請求項１乃至１３のいずれか一項に記載のイメージングシステム。
【請求項１５】
互いに分離されていて、より低い密度の減衰器が中心領域近くに位置付けられ、より高い密度の減衰器が前記中心領域から遠くに位置付けられるように配置された個々の減衰器の２次元のアレイを有するビーム整形器を用いて、透過プロファイルが、ビームの中心領域からビームの周囲へ減少するように、被検体及び対象物をスキャンするために用いられるＸ線ビームの透過プロファイルを整形するステップ、及び
前記整形された透過プロファイルを持つビームを用いて、前記被検体又は対象物をスキャンするステップ、
を含む方法。
【手続補正書】
【提出日】平成27年5月20日(2015.5.20)
【手続補正１】
【補正対象書類名】特許請求の範囲
【補正対象項目名】全文
【補正方法】変更
【補正の内容】
【特許請求の範囲】
【請求項１】
中空シャフトであって、長手軸と、前記中空シャフトの遠位端部に形成され、前記長手軸に対して鋭角の第１の角度を持つ第１のベベルとを持つ前記中空シャフトと、
細長い挿入物であって、前記細長い挿入物の遠位端部に形成され、前記長手軸に対して鋭角の第２の角度を持つ第２のベベルを持ち、前記第１の角度が前記第２の角度より小さい前記細長い挿入物と、
前記細長い挿入物内に構成され、前記第２のベベルの面を越えて突き出す光ファイバと、
を有する針において、
前記細長い挿入物が、前記中空シャフト内に構成及び固定され、前記第２のベベル及び前記ファイバの前面が、前記中空シャフト内に配置される、
針。
【請求項２】
前記光ファイバの前面が、前記長手軸に対して第３の角度で形成され、前記第３の角度が、前記第２の角度より大きい、請求項１に記載の針。
【請求項３】
前記細長い挿入物が、前記中空シャフト内に着脱可能に固定される、請求項１に記載の針。
【請求項４】
前記細長い挿入物が、両方とも前記細長い挿入物の前記第２のベベルにおいて開口端を持つ２つのチャネルを有し、一方の開口端が、他方の開口端より近位に配置され、前記針が、前記チャネルの一方の中に各々配置された２つの光ファイバを有する、請求項１に記載の針。
【請求項５】
前記より近位に配置された開口端を持つチャネル内に配置された前記光ファイバが、前記開口端の外に突き出す、請求項４に記載の針。
【請求項６】
前記２つのチャネルの開口端が、前記細長い挿入物の口径より大きい互いからの距離で配置される、請求項４に記載の針。
【請求項７】
前記細長い挿入物が、金属コーティング又は低い自己蛍光を持つコーティングでコーティングされる、請求項１に記載の針。
【請求項８】
前記細長い挿入物が、前記第２のベベルにおいて開口端を各々持つ３つのチャネルを有し、第１の開口端が、遠位に配置され、第２の開口端が、前記第１の開口端の近くに配置され、第３の開口端が、近位に配置され、前記針が、それぞれ、前記細長い挿入物の前記３つのチャネル内に配置された３つの光ファイバを有する、請求項１に記載の針。
【請求項９】
組織検査に対するシステムにおいて、
請求項１ないし８の何れか一項に記載の針と、
光源、光検出器及び前記光検出器により提供される信号を処理する処理ユニットを含むコンソールと、
を有するシステム。
【請求項１０】
前記光源及び光検出器の一方が、波長選択性を提供する、請求項９に記載のシステム。
【請求項１１】
前記光源が、レーザ、発光ダイオード又はフィルタ光源の１つである、請求項９に記載のシステム。
【請求項１２】
前記コンソールが、ファイバスイッチ、ビームスプリッタ又は二色性ビーム結合器の１つを有する、請求項９に記載のシステム。
【請求項１３】
前記システムが、拡散反射分光、拡散光学断層撮影、差分経路長分光、及びラマン分光からなるグループの少なくとも１つを実行する、請求項９に記載のシステム。
【請求項１４】
請求項１ないし８のいずれか一項に記載の針を製造する方法において、
中空シャフトを製造するステップであって、前記中空シャフトの長手軸に対して鋭角の第１の角度を持つ第１のベベルを形成することを含むステップと、
細長い挿入物を製造するステップであって、前記長手軸に対して鋭角の第２の角度を持つ第２のベベルを形成すること及び前記第２のベベルにおいて開口端を持つ少なくとも１つのチャネルを形成することを含み、前記第２の角度が前記第１の角度より大きいステップと、
それぞれのチャネルにおいて少なくとも１つの光ファイバを、前記少なくとも１つの光ファイバが前記第２のベベルの面を越えて突き出すように、配置及び固定するステップと、
前記第２のベベル及び前記少なくとも１つの光ファイバの前面が前記中空シャフト内に配置されるように前記中空シャフト内に前記細長い挿入物を配置及び固定するステップと、
を有する方法。
【請求項１５】
前記少なくとも１つの光ファイバが、前記チャネル内に配置され、前記チャネルの前記開口端が、前記第２のベベルにおいてより近位に配置され、前記光ファイバが、前記開口端の外に前記光ファイバの口径の半分以上突き出す、請求項１４に記載の方法。
【手続補正書】
【提出日】平成27年5月20日(2015.5.20)
【手続補正１】
【補正対象書類名】特許請求の範囲
【補正対象項目名】全文
【補正方法】変更
【補正の内容】
【特許請求の範囲】
【請求項１】
Ｘ線イメージングシステムであって、
Ｘ線源と、
Ｘ線検出器の第１の方向に配される複数の検出器ストリップを有する該Ｘ線検出器であって、各検出器ストリップが、該Ｘ線検出器の第２の方向に配される複数の検出器ピクセルを更に有する、Ｘ線検出器と、
位相格子と、
格子スリットを有する複数のアナライザ格子と、
を有し、
前記Ｘ線源及び前記Ｘ線検出器は、対象をスキャンするために、前記第１の方向において、対象に対しスキャニング移動を実施し、
前記アナライザ格子は、前記Ｘ線源と前記Ｘ線検出器との間に配され、前記複数のアナライザ格子の各々が、前記第２の方向に配される前記格子スリットを有する個々の検出器ストリップに関連付けて配され、
前記複数の検出器ストリップの前記アナライザ格子の前記格子スリットが、前記第２の方向において、互いに変位されている、Ｘ線イメージングシステム。
【請求項２】
前記複数の検出器ストリップに沿った前記アナライザ格子の格子スリットの変位は、対象がスキャンされる場合に位相格子によって生成され及び対象内の位相勾配によって変位される干渉フリンジのフリンジ周期全体をサンプリングする、請求項１に記載のＸ線イメージングシステム。
【請求項３】
前記第１の方向におけるアナライザ格子を有する２つの連続する検出器ストリップの、前記アナライザ格子の格子スリットは、体系的な態様で、前記第２の方向において互いに変位されており、前記体系的な態様は、規定される変位距離を含む、請求項１又は２に記載のＸ線イメージングシステム。
【請求項４】
前記変位距離(d)は、前記フリンジ周期(pf)の一部であり、pf/N < d < pfであり、ここで、Ｎは、検出器ストリップの数であり、これにより、フリンジ周期全体がカバーされる、請求項３に記載のＸ線イメージングシステム。
【請求項５】
前記変位距離(d)は、pf/3 < d < pfであり、好適にはpf/3である、請求項３又は４に記載のＸ線イメージングシステム。
【請求項６】
２つの連続する検出器ストリップのアナライザ格子の格子スリットは、任意の態様で、前記第２の方向において互いに変位されており、前記任意の態様はランダムな変位を含む、請求項１乃至５のいずれか１項に記載のＸ線イメージングシステム。
【請求項７】
前記第１の方向におけるアナライザ格子を有する２つの連続する検出器ストリップは、隣接する２つの検出器ストリップである、請求項１乃至６のいずれか１項に記載のＸ線イメージングシステム。
【請求項８】
前記第１の方向におけるアナライザ格子を有する２つの連続する検出器ストリップは、前記第１の方向において、検出器ストリップの間でランダムに又は任意に変位されている、請求項１乃至７のいずれか１項に記載のＸ線イメージングシステム。
【請求項９】
前コリメータ及び後コリメータを更に有し、前記前コリメータが、前記アナライザ格子と前記位相格子との間に配され、前記後コリメータが、前記アナライザ格子と前記Ｘ線検出器との間に配される、請求項１乃至８のいずれか１項に記載のＸ線イメージングシステム。
【請求項１０】
前記Ｘ線源と前記位相格子との間に配される線源格子を更に有する、請求項１乃至９のいずれか１項に記載のＸ線イメージングシステム。
【請求項１１】
前記Ｘ線検出器は、前記検出器ストリップに当たるフォトンを計数し、当たるフォトンのエネルギーに対応する信号を生成し、制御ユニットが、前記信号を受け取り、各エネルギーの効率に関して位相コントラスト画像効果に重みを与え、及び／又は、制御ユニットが、各エネルギーの効率に関して位相コントラスト画像効果に重みを与える、請求項１乃至１０のいずれか１項に記載のＸ線イメージングシステム。
【請求項１２】
少なくとも１つのアナライザ格子が、前記Ｘ線検出器全体にわたって、第１の横断方向に配される、請求項１乃至１１のいずれか１項に記載のＸ線イメージングシステム。
【請求項１３】
少なくとも１つの移動可能な圧縮パドルを更に有し、前記圧縮パドルは、位相コントラスト画像効果を高めるために、前記アナライザ格子から離れるほうへ乳房のような対象を移動させる、請求項１乃至１２のいずれか１項に記載のＸ線イメージングシステム。
【請求項１４】
前記圧縮パドルは、前記アナライザ格子と、前コリメータ又は前記位相格子との間で対象を移動させる、請求項１３に記載のＸ線イメージングシステム。
【請求項１５】
前記位相格子は、前記第１の方向における対象に対するスキャニング移動中、前記スキャンアームをたどるように、前記スキャンアーム上に配され、及び／又は前記スキャンアームが、スキャニング移動中、前記第１の方向に対象及び前記位相格子に対し移動されるとき、前記位相格子は、静止しているように構成される、請求項１乃至１４のいずれか１項に記載のＸ線イメージングシステム。
【請求項１６】
前記アナライザ格子は、スナップフィット様の接続によって、前記複数の検出器ストリップの各々に接続される、請求項１乃至１５のいずれか１項に記載のＸ線イメージングシステム。
【請求項１７】
前記アナライザ格子は、前記Ｘ線源のほうを向いて配され、前記アナライザ格子の傾斜方向は、前記Ｘ線源に対する前記複数の検出器ストリップの傾斜角に本質的に等しい、請求項１乃至１６のいずれか１項に記載のＸ線イメージングシステム。
【請求項１８】
各々のアナライザ格子は、前記アナライザ格子の製造中に互いに接続されるように適応される幾つかのより小さいユニットを有する、請求項１乃至１７のいずれか１項に記載のＸ線イメージングシステム。